(57)【要約】      （修正有）【課題】新しい機能を加えることにより、新しいスタッフ材１を開発することを課題とした。【解決手段】柔軟性を特長とする熱可塑性各種エラストマー、熱可塑性ＥＶＡ樹脂、熱可塑性ＥＡＡ樹脂等を１００％用いること又はこれ等の柔軟性を特長とする樹脂と従来の熱可塑性オレフィン系樹脂とを任意の割合でブレンドしてパイプ又は中空球殻体品に成型することにより、スタッフ材１は従来にはない柔軟性のあるクッション性に改善され、しかも成型品の特徴であるクッション性、通気性、頭の回転に対応する流動性は確保され、更にスタッフ材間の摩擦音は解消され、現在、市場シェアが高い他のスタッフ材を凌駕するスタッフ材１を作成することが出来た。【選択図】図１
0003117850.tif 000002
【実用新案登録請求の範囲】
【請求項１】
柔軟性を特長とする熱可塑性の各種エラストマー（オレフィン系、スチレン系、エステル系、ウレタン等）、同じく熱可塑性ＥＶＡ樹脂、熱可塑性ＥＥＡ樹脂等ヂュロメーター硬さ（ＪＩＳＫ６２５３）タイプＡ１０−９０の範囲にある熱可塑性樹脂１００％を用いる又は柔軟性を特長とする熱可塑性各種エラストマー、ＥＶＡ樹脂、ＥＡＡ樹脂等と熱可塑性オレフィン系樹脂を任意の割合に混合して、パイプ３又は中空球殻体４に成型して得られた材料を特徴とするスタッフ材
【請求項２】
オレフィン系熱可塑性樹脂成型品の欠点である硬さ及び使用時発生する摩擦音を改善し且つ従来のオレフィン系熱可塑性樹脂成型品の特長であるクッション性、通気性及び寝返り等に有利な頭の回転移動しやすい流動性を確保した請求項１に記載のスタッフ材。
【考案の詳細な説明】
【技術分野】
【０００１】  枕、クッション等の寝具及びインテリア分野において製造される材料に関する技術分野。
【背景技術】
【０００２】  枕２を構成する部品は通常、スタッフ材１を収容する袋状生地（側地とも云う）、スタッフ材（中材または充填材とも云う）、及びカバー地からなっている。本考案はそのうちのスタッフ材１の開発を目的としたものである。スタッフ材は睡眠に与える影響はかなり大きいので、用いられるスタッフ材は広範囲に亘っているのが、現状である。天然素材、人工合成素材、水、空気等、多岐に亘って用いられている。天然素材としてイグサ、ワタ、羽毛、炭、ゴム等があり、人工素材としてはウレタンフォーム、熱可塑性プラスチック成型品等が用いられている。それぞれのスタッフ材には一長一短があり、単独または複合して使用されている。これらの中にはスタッフ素材として優れた素材もあり、市場で主流を占めている。しかし万能ではなく、いくつかの重要な欠点を指摘されている。ストレス社会における睡眠は健康にとって大切なファクターであり、睡眠の科学的因子からみて明らかに欠点と思われる問題も未だ多々あるので、解明せねばならない課題を抱えているのが現状である。
【特許文献１】
【０００３】  公開特許、公開実用新案、登録特許に関して約１、０３１件を検索の結果、本考案に近い１件のみを抽出した。特開２００４−１１１６５７名称：枕  東レ・デュポンであるが、該公開特許はポリエステルを主体にしたスタッフ材の範囲について記述されているが、一般的な内容であり、特徴の薄い発明である。故に本考案は該当する特許には抵触しないと判断する。
【特許文献２】
【０００４】  本考案で記述している一対の開口を有する中空球殻体４は実用新案第２５１６４４９として登録されている。
【考案の開示】
【０００５】  本考案は柔軟性のある熱可塑性各種エラストマー、ＥＶＡ樹脂、ＥＥＡ樹脂等を用いてパイプ又は中空球殻体を成型した、又は柔軟性のある熱可塑性各種エラストマー、ＥＶＡ樹脂、ＥＥＡ樹脂等とオレフィン系樹脂とを任意の割合でブレンドした材を球殻体４成型又はパイプ３成型してできたスタッフ材は柔軟性を特徴とし、独特なクッション性を有するスタッフ材１であることを見出した。本考案は成型において難度が高いカット性の改善及びスタッフ材１から発生する臭気除去によって達成されたものである。特に本考案によって作られた低硬度中空球殻体４は中空球殻体４に一対の開口が平行に設けられており、中空球殻体４から空気の流入・排出が柔軟性の付与で独特のクッション性を生み出している。しかもパイプ３及び中空球殻体４の特性である、寝返りに対する頭の動き易さ、湿気がこもらない通気性の良さが本考案のスタッフ材には確保されている。更に本考案のスタッフ材はスタッフ材から発生する摩擦音も消滅し、睡眠に好影響を与える結果が出ている。同様  にパイプ３成型品もパイプ縦方向のクッション性により柔軟性が付与され、従来のパイプ３では得られない風合いを形成できた。更に本考案は成型時に柔軟性を持つ各種熱可塑性エラストマー、ＥＶＡ樹脂、ＥＥＡ樹脂等１００％又は熱可塑性各種エラストマー、ＥＶＡ樹脂、ＥＥＡ樹脂等と従来のオレフィン系樹脂との混合割合を任意に設定し、共押出成型を実施し、柔軟性、クッション性、コスト性等枕２に対して多様化を図る素材を開発し、スタッフ材１の枕２による睡眠への影響に対し、緻密に対応しようとするものである。
【発明が解決しようとする課題】
【０００６】  従来、枕２用スタッフ材１として用いられているオレフィン系熱可塑性樹脂の成型スタッフ材１は低コストで容易に成型して作られ、耐久性も優れているが、硬度、クッション性は一般的には他素材（低反発ウレタン、羽毛等）に比して問題ありと見られているために低品位評価が定着し、スタッフ材１として使用されるシェアは低い。本来成型スタッフ材１は通気性が良いために蒸れず、爽やかに使用できること及び枕内の成型ビーズの移動により寝返り等の頭の動きを容易にする流動性の特徴を有しているが、スタッフ材１相互の摩擦による音の発生、硬さが欠点となっている。一方、比較的に市場シェアが大きい低反発ウレタン等のスタッフ材は柔軟性とクッションの良さを主要な特徴として好評を受けている。しかし低反発ウレタンは頭部から発生する湿分等を吸収して発散する作用が低く、通気性が悪くて、枕自体がむれる欠点がある。更にはスタッフ材が寝返り等による頭の動きに対し、動きを制限する傾向が見られる。本考案のスタッフ材１は柔軟性を特長とする熱可塑性各種エラストマー、ＥＶＡ樹脂、ＥＥＡ樹脂等硬度が低い樹脂を単独でもちいるか又は柔軟性がある熱可塑各種エラストマー、ＥＶＡ樹脂、ＥＥＡ樹脂等と従来のオレフィン系熱可塑性樹脂を任意の割合でブレンドして成型することにより、従来に見られない、低反発ウレタンスタッフ材の有する柔軟性に近い、柔軟性を付与すること及びオレフィン系熱可塑樹脂成型品が有する特殊なクッション性、通気性を確保し、更に従来のオレフィン系熱可塑性樹脂成型品のもう一つの欠点であるスタッフ素材１の相互摩擦による発生音の解消を狙うことを解決の課題とした。
【課題を解決するための手段】
【０００７】  従来のオレフィン系熱可塑性樹脂成型スタッフ材１の欠点は柔軟性に問題があることが判明しているので、本考案ではオレフィン系熱可塑性樹脂と柔軟性ゴムの中間に位置する素材を用いること又はこの柔軟性素材と従来の熱可塑性オレフィン系樹脂とブレンドしてパイプ３及び中空球殻体４の成型を行うことを開発の目的とした。そのため柔軟性がある熱可塑性各種エラストマー（オレフィン系、スチレン系、エステル系、ウレタン系等）、同じく熱可塑性ＥＶＡ樹脂、熱可塑性ＥＥＡ樹脂のうち、ヂュロメーター硬さ（ＪＩＳＫ６２５３）タイプＡ１０−９０の範囲内にある熱可塑性柔軟素材を選択した。ソフトと伸縮性に富み、且つ成型品が有する通気性、流動性、摩擦音解消性を確保及び改善する熱可塑性樹脂を選択した。成型には成型素材のカット性と成型材料に含まれる臭気成分の問題が発生したが、成型品のカット性はエラストマーが伸縮材料であるためカット技術の難度が高かったが、カットに関する多くのノウハウを駆使して解決することができた。臭気は架橋反応型モノマーの残存が主体と見られたが、加熱方法を検討し、完全に除去する方法を見出して、成型におけるこれらの問題点を克服することができた。この材料を成型してできた一対の開口を有する中空球殻体４及びパイプ３は上述のオレフィン系熱可塑性樹脂の欠点である硬い、摩擦音が大きい、柔軟なクッションが得られない等の欠点を改善できた。独特な柔軟なクッション性が得られたことと、スタッフ材間で発生する摩擦音は睡眠に支障をきたさない程に極小になった。しかも従来の熱可塑性樹脂成型品が有する特長である通気性、寝返りによる頭の動きに対応する流動性等は従来のまま確保することが可能となった。
【発明の効果】
【０００８】  本考案により作成された柔軟性のある熱可塑性スタッフ材１は寝心地のモニタリング及び諸物性の測定によって効果判定を実施した。モニタリングは２０代男女各３名、３０代各３名、４０から６０代各３名に本考案のスタッフ材を用いた枕２を作成し、睡眠に関して作成したチェックポイントを使用して、睡眠前および目覚め後について１ヵ月調査した。コントロール品（オレフィン系樹脂成型スタッフ材１及び低反発ウレタンスタッフ材１を各１００％使用の枕２）との関係を各チェックポイントに従って判定した結果、本考案が意図する成型品のスタッフ材１であることが確認された。即ち柔軟性は低反発ウレタンスタッフ材に近接し、スタッフ材１の摩擦により発生した音はほぼ解消した。また従来、保有している成型品の特質である通気性及び寝返りによる頭の移動に対応している流動性は確保された。クッション性は低反発性ウレタンスタッフ材とは異なる独特な、しかも睡眠に好影響を与える効果が得られた。物性を調べた結果、本考案による成型スタッフ材は低反発ウレタンと比較して弾力性は成型ビーズの流動特性により圧縮時にビーズの流動が起こり、頭部の重量に対応したクッション性が発現し、圧縮を解除すると流動性により、元の位置に回復してくる。低反発ウレタンでは元に回復する時間がかなり長い。通気性は本考案ビーズの特長として頭部から受ける湿分を外部に放散するのに反し、低反発ウレタンは湿分を吸収して内部に蓄積する性向がある。そのため本考案ビーズは使用時、常にカラッとしているため本考案のスタッフ材を用いた枕を使用した睡眠時の環境は睡眠に良い影響を与えることが判った。
【考案を実施するための最良の形態】
【０００９】  本考案が目的とする柔軟性がある特有なクッションの形成と通気性及びスタッフ材１の流動性確保及びスタッフ材１が摩擦して発生する騒音を解消する枕２の最良の形態は次の通りである。スタッフ材１の成型品材料として、熱可塑性各種エラストマー、熱可塑性ＥＶＡ樹脂、熱可塑性ＥＡＡ樹脂等のうち、ヂュロメーター硬さ（ＪＩＳＫ６２５３）タイプＡ１０−９０の樹脂を選択し、１００％又は従来の熱可塑性オレフィン系樹脂と任意の割合でブレンドしてパイプ３及び球殻体４を成型してスタッフ材１とした。好み、感覚差があるので一方的に決め付けることはできないが、柔軟性がある熱可塑性エラストマー、熱可塑性ＥＶＡ樹脂、熱可塑性ＥＡＡ樹脂等と従来の熱可塑性オレフィン系樹脂とのブレンド比率は任意であり、好み及び感覚差を勘案して、最良に近い結果が得られる比率を見出した。最良の結果とは前述のごとく、使用者の好みの観点から睡眠に関して、従来好まれているスタッフ材の柔軟性、クッション性に近く、優れているとみなされること、一方、従来の成型品スタッフ材１の優れた特長であるクッション性、通気性、頭の回転に連動する流動性を確保していることである。成型品の欠点であるスタッフ材１の相互摩擦による摩擦音が解消され、睡眠に好影響を与えていることも、一つの主要な要因である。
【実施例】
【００１０】  本考案の枕２を作成し、コントロール品として従来の熱可塑性オレフィン系成型スタッフ材及び低反発ウレタンスタッフ材を用いた。物性測定及びモニタリングによる評価を実施し、総合的に評価を行った。枕２の仕様は次の通りである。枕２サイズ：タテ５０ｃｍヨコ：３５ｃｍ、厚さ：８ｃｍ、スタッフ材１充填量：１．３Ｋｇ、側地素材：二重、内側はポリエステル１００％ネット、外側は綿１００％織地を使用した。枕総重量：１．４Ｋｇである。スタッフ材は本考案中空球殻体成型品１００％を用いた。コントロール品として従来用いている熱可塑性オレフィン（ポリエチレン１００％）中空球殻体成型品および低反発ウレタン材を用いた。枕２のサイズ、側地素材は共通とした。モニタリング方法はタテ軸に睡眠に影響するファクターの感覚度合、ヨコ軸に睡眠前感覚度合、目覚め時の感覚度合を１回／日チェックする頻度として表を作成して、１ヵ月チェックを実施した。９名の対象者に毎日、自己の感覚をチェックしてもらい、集計した。特にチェックする際に各人に外部からの影響による簡単な心理状況を記入してもらい参考とした。集計した結果、従来のコントロール品（従来の熱可塑性オレフィン系樹脂の中空球殻体成型品及び低反発ウレタン材）に対して総合的な評価は概ね良好であるとの結果を得た。個別的には先ず従来の熱可塑性オレフィン系樹脂の中空球殻体成型品と比較すると本考案スタッフ材は顕著に柔軟性が向上し、スタッフ材の相互摩擦による摩擦音は消去した。しかも成型品本来が有する通気性、流動性は確保された。低反発ウレタン材との比較ではクッション性のメカニズムが異なり、本考案スタッフ材は圧縮弾性におけるヘタリが成型品の流動性により皆無であること、頭部から発生する湿分を低反発ウレタン材は吸収するに反して本考案スタッフ材は外部に発散させる働きがあるため、むれることがないこと、本考案のスタッフ材は柔軟性について低反発ウレタン材と遜色ないこと等が確認されている。従来、市場において優れていると評価されているスタッフ材を凌駕する評価結果を得ている。
【図面の簡単な説明】
【００１１】
【００１２】
【図１】  「枕全体を示した立体図である」
【図２】  「枕のスタッフ材を示した立体図である」
【符号の説明】
【００１３】  １    枕に充填しているスタッフ材
２    枕
３    パイプ状スタッフ材
４    中空球殻状スタッフ材
【図１】
0003117850.tif 000003
【図２】
0003117850.tif 000004